(57)【要約】【課題】  複数のＬＡＮネットワーク間を無線回線又は迂回回路で接続する通信システムにおいて、無線回線の障害発生時にリンクダウン転送が行われた場合に、保守端末からの遠隔保守を可能として利便性を向上させ、迅速な障害復帰を図る通信システムを提供する。【解決手段】  無線回線装置２２が、無線回線における障害を検出すると、切替装置２４に対するリンク信号の出力を停止し、一定時間が経過するとリンク信号の出力を再開し、切替装置２４が、リンク信号の停止を検出するとＬＡＮネットワークの接続先を迂回回路４２に切り替え、リンク信号の受信を検出するとＬＡＮネットワークの接続先を無線回線装置２２に切り替え、保守端末２３が、切替装置２２によって切り替えられた無線回線装置２３の保守を行う通信システムである。【選択図】        図２
2011142490.tif 000002
【特許請求の範囲】
【請求項１】
複数のＬＡＮネットワーク間を無線回線又は迂回回路で接続する通信システムであって、
無線信号とＬＡＮ信号の変換を行う無線回線装置と、
前記ＬＡＮネットワークの一つに接続すると共に、当該ＬＡＮネットワークの接続先を前記無線回線装置又は前記迂回回線に切り替える切替装置と、
前記ＬＡＮネットワークを介して前記無線回線装置の保守を行う保守端末とを備え、
前記無線回線装置が、前記無線回線における障害を検出すると、前記切替装置に対するリンク信号の出力を停止し、一定時間が経過すると前記リンク信号の出力を再開し、
前記切替装置が、前記リンク信号の停止を検出すると前記ＬＡＮネットワークの接続先を前記迂回回路に切り替え、前記リンク信号の受信を検出すると前記ＬＡＮネットワークの接続先を前記無線回線装置に切り替え、
前記保守端末が、前記切替装置によって切り替えられた前記無線回線装置の保守を行うことを特徴とする通信システム。
【発明の詳細な説明】
【技術分野】
【０００１】
本発明は、複数のＬＡＮネットワークを無線回線で接続する通信システムに係り、特に障害発生時の復旧保守を容易にすることができる通信システムに関する。
【背景技術】
【０００２】
［先行技術の説明］
近年、ＬＡＮインタフェースを備えた機器は増加しており、それらをつなぐＬＡＮネットワークは広範囲に広がっている。
ＬＡＮネットワークを拡大する上で、敷設に制限がある場合には、種々の物理レイヤを利用する必要がある。例えば、メタルワイヤの回線、光ファイバ回線、無線回線等である。
【０００３】
そして、２つのＬＡＮネットワークを無線回線で接続する場合、無線回線に障害が発生すると、ＬＡＮインタフェースに対するリンク信号の出力を停止して、リンクダウンするようになっている（リンクダウン転送）。
【０００４】
ここで、２つのＬＡＮネットワーク回線を無線回線で接続した通信システムについて図４を用いて説明する。図４は、２つのＬＡＮネットワーク回線を無線回線で接続した通信システムの構成例を示す説明図である。
図４に示す通信システムは、ＬＡＮネットワーク１と、ＬＡＮネットワーク２とを備え、ＬＡＮネットワーク１には、端末１１及び無線回線装置１２が設けられ、ＬＡＮネットワーク２には、端末２１と、無線回線装置２２と、保守端末２３と、切替装置２４とが設けられている。
尚、図では無線回線装置１２と無線回線装置２２とを線で接続しているが、この線は無線回線を示している。
【０００５】
無線回線装置２２は、ＬＡＮ信号と無線信号とを相互に変換する装置であり、無線回線装置２１と無線による通信を行う。
特に、上述したように、無線回線装置２２は、無線回線の障害を検出すると、ＬＡＮインタフェースをリンクダウンする。
【０００６】
また、保守端末２３は、無線回線装置２２の保守を行う端末であり、無線回線装置２２の状態を読み出し、動作を指定するパラメータを設定することができ、また、無線回線装置２２の動作停止／開始の指示を行う。
【０００７】
切替装置２４は、ＬＡＮネットワーク２と無線通信回路２２又は迂回回線４２とを切り替えて接続する切替スイッチを備えたものである。
切替装置２４は、無線回線装置２２からのＬＡＮリンク信号を受信して、正常に受信していることを検出した場合には、切替スイッチをＬＡＮネットワーク２と無線回線装置２２とを接続する側に切り替え、無線回線装置２２からリンク信号を受信しない、つまりリンクダウンを検出すると、ＬＡＮネットワーク２と迂回回線４２とを接続するよう切り替える。無線回線が正常な場合には、切替スイッチはＬＡＮネットワーク２と無線回線装置２２とを接続する側に切り替えられている。
また、迂回回線４２は有線回線又は無線回線である。
【０００８】
［従来の通信システムにおける障害発生時の動作：図５、図６、図７］
従来の通信システムにおいて、無線回線に障害が発生した場合の動作について図５，６，７を用いて説明する。図５，６，７は、従来の通信システムにおける障害発生時の動作を示す模式説明図である。
図５に示すように、ＬＡＮネットワーク１の端末１１と、ＬＡＮネットワーク２の端末２１とが通信を行っている。ここでは、Ｅｔｈｅｒｎｅｔ（登録商標）を用いたＩＰ通信を行っているものとする。
通常、端末２１から端末１１へのデータは、ＬＡＮネットワーク２を介して、切替装置２４及び無線回線装置２２、無線回線４１、無線回線装置１２、ＬＡＮネットワーク１を介して端末１１に到達する。
【０００９】
ここで、図５に示すように、無線回線４１が、遮蔽、降雨等の障害により通信が行えない状態（（１）無線回線切断）になったものとする。
すると、図６に示すように、無線回線装置２２は、切替装置２４に接続しているＬＡＮインタフェースへのリンク信号を停止する（（２）リンクダウン転送）。
【００１０】
そして、図７に示すように、切替装置２４は、リンクダウンを検出すると、通信経路を迂回回路４２側に切り替え、端末２１から端末１１へのデータを迂回回線４２に転送する。
【００１１】
この状態において、無線回線装置２２と切替装置２４との間は通信不能の状態となっているため、保守端末２３から無線回線装置２２の障害内容を参照したり、機器の動作条件を変更する等の保守制御を行うことはできず、障害が復旧してから切替装置２４を無線回線装置２２側に切り替えて、保守端末２３からの遠隔保守を行うようになっていた。
【００１２】
尚、ＬＡＮを用いた通信システムの保守に関する技術としては、特開２００８−１１００４号公報「無線ＬＡＮ機器及び無線ＬＡＮ機器の保守システム」（出願人：株式会社日立国際電気、特許文献１）がある。
特許文献１には、無線ＬＡＮ機器の制御部が、接続されたパーソナルコンピュータから電源投入後一定時間以内に初期化専用画面へのアクセスがあり、ログイン用の情報を認証すると、パーソナルコンピュータに初期化画面を表示させ、初期化の指示が入力されると、無線ＬＡＮ機器の初期化を実行することが記載されている。
【先行技術文献】
【特許文献】
【００１３】
【特許文献１】特開２００８−１１００４号公報
【発明の概要】
【発明が解決しようとする課題】
【００１４】
しかしながら、従来の通信システムでは、無線回線で障害が発生してリンクダウン転送が行われた場合には、ＬＡＮ回線側の保守端末から無線回線装置にアクセスして障害状況の確認や復旧の遠隔操作を行うことができず、不便であるという問題点があった。
【００１５】
本発明は、上記実状に鑑みて為されたもので、無線回の障害発生時にリンクダウン転送が行われた場合に、保守端末からの遠隔保守を可能として利便性を向上させ、迅速な障害復帰を可能とすることができる通信システムを提供することを目的とする。
【課題を解決するための手段】
【００１６】
上記従来例の問題点を解決するための本発明は、複数のＬＡＮネットワーク間を無線回線又は迂回回路で接続する通信システムであって、無線信号とＬＡＮ信号の変換を行う無線回線装置と、ＬＡＮネットワークの一つに接続すると共に、当該ＬＡＮネットワークの接続先を無線回線装置又は迂回回線に切り替える切替装置と、ＬＡＮネットワークを介して無線回線装置の保守を行う保守端末とを備え、無線回線装置が、無線回線における障害を検出すると、切替装置に対するリンク信号の出力を停止し、一定時間が経過するとリンク信号の出力を再開し、切替装置が、リンク信号の停止を検出するとＬＡＮネットワークの接続先を迂回回路に切り替え、リンク信号の受信を検出するとＬＡＮネットワークの接続先を無線回線装置に切り替え、保守端末が、切替装置によって切り替えられた無線回線装置の保守を行うことを特徴としている。
【発明の効果】
【００１７】
本発明によれば、複数のＬＡＮネットワーク間を無線回線又は迂回回路で接続する通信システムであって、無線信号とＬＡＮ信号の変換を行う無線回線装置と、ＬＡＮネットワークの一つに接続すると共に、当該ＬＡＮネットワークの接続先を無線回線装置又は迂回回線に切り替える切替装置と、ＬＡＮネットワークを介して無線回線装置の保守を行う保守端末とを備え、無線回線装置が、無線回線における障害を検出すると、切替装置に対するリンク信号の出力を停止し、一定時間が経過するとリンク信号の出力を再開し、切替装置が、リンク信号の停止を検出するとＬＡＮネットワークの接続先を迂回回路に切り替え、リンク信号の受信を検出するとＬＡＮネットワークの接続先を無線回線装置に切り替え、保守端末が、切替装置によって切り替えられた無線回線装置の保守を行う通信システムとしているので、リンクダウン転送後、一定時間経過すれば保守端末から無線回線装置にアクセスして、障害状況の確認や復旧のための設定等の保守制御を行うことができ、利便性を向上させ、障害から迅速に復帰させることができる効果がある。
【図面の簡単な説明】
【００１８】
【図１】本発明の実施の形態に係る通信システムで用いられる無線回線装置の構成ブロック図である。
【図２】本システムにおける障害発生時の動作を示す説明図である。
【図３】無線回線装置における処理を示すフローチャートである。
【図４】２つのＬＡＮネットワーク回線を無線回線で接続した通信システムの構成例を示す説明図である。
【図５】従来の通信システムにおける障害発生時の動作を示す模式説明図（１）である。
【図６】従来の通信システムにおける障害発生時の動作を示す模式説明図（２）である。
【図７】従来の通信システムにおける障害発生時の動作を示す模式説明図（３）である。
【発明を実施するための形態】
【００１９】
［実施の形態の概要］
本発明の実施の形態について図面を参照しながら説明する。
本発明の実施の形態に係る通信システムは、無線回線とＬＡＮ回線のインタフェースを備えた無線回線装置が、無線回線における障害を検出した場合に、ＬＡＮインタフェースのリンクダウン転送によりリンク信号の発生を一旦停止し、一定時間経過後にリンク信号の発生を再開させ、切替装置が、リンクダウンを検出すると迂回回路側に通信経路を切り替え、リンクアップを検出すると無線回線装置側に通信経路を切り替え、保守端末がＬＡＮ回線を介して無線回線装置の保守を可能とする通信システムとしているので、障害発生後、一定時間後に無線回線装置とＬＡＮ回線との接続を復帰させて、保守端末から無線回線装置に対する情報取得や設定操作を行うことができ、保守作業を容易にすることができるものである。
【００２０】
本発明の実施の形態に係る通信システムの構成は、図４に示したものと同じであるため図示は省略し、図４と同様の符号を用いて説明する。但し、無線回線装置２２の構成及び動作が、図４の無線回線装置とは一部異なっている。
そして、本システムは、図４に示すように、２つのＬＡＮネットワークを備え、ＬＡＮネットワーク間は、無線回線装置１２，２２を介した無線回線４１又は迂回回線４２によって接続されている。
【００２１】
［無線回線装置２２の構成：図１］
無線回線装置２２の構成について図１を用いて説明する。図１は、本発明の実施の形態に係る通信システムで用いられる無線回線装置の構成ブロック図である。
図１に示すように、本通信システムの無線回線装置２２は、リンクダウン転送の機能を備えたものであり、ＬＡＮ／無線変換回路２と、ＬＡＮリンク信号発生部４と、リンクダウン転送制御部５と、無線障害検出部６と、タイマー７と、記憶装置８とを備えている。
【００２２】
ＬＡＮ通信回路１は、ＬＡＮ信号を送受信するインタフェースである。
無線通信回路３は、無線信号を送受信するインタフェースである。
ＬＡＮ／無線変換回路２は、ＬＡＮ信号を無線信号に変換し、無線信号をＬＡＮ信号に変換するデータ変換を行う。
ＬＡＮリンク信号発生部４は、ＬＡＮ通信回路１にリンク信号を出力する。本システムのＬＡＮリンク信号発生部４は、リンクダウン転送制御部５の指示に従ってリンク信号の出力／停止を行う。尚、リンク信号が出力されている状態をリンクアップ、停止されている状態をリンクダウンと記載する。
【００２３】
リンクダウン転送制御部５は、ＬＡＮリンク信号発生部４に対してリンク信号の出力／停止の指示を行う。
特に、リンクダウン無線障害検出部６で無線回線に障害が発生したことが検出されると、ＬＡＮリンク信号発生部４にリンク信号の停止を指示する。そして、本システムの特徴として、一定時間経過後にリンク信号の出力を再開させるものである。
【００２４】
無線障害検出部６は、無線通信回路３の回線状態を監視し、無線回線に障害が発生した場合に、リンクダウン転送制御部５に障害発生を通知する。尚、無線障害検出部６は、例えば受信電界強度を検出し、検出値がしきい値よりも低い場合に無線回線の障害発生を検出する。
【００２５】
タイマー７は、一定時間を計時するものであり、本無線回線装置では、リンクダウン転送制御部５によって起動され、タイムアップすると、リンクダウン転送制御部５にタイムアップを報知する。
記憶装置８は、リンクダウン転送制御部５における処理プログラムや、タイマー７の計時時間を記憶している。
【００２６】
［本無線回線装置の動作：図１］
本通信システムにおいて用いられる上記無線回線装置の動作について図１を用いて説明する。
無線回線装置２２では、通常、ＬＡＮ通信と無線通信とを行っており、ＬＡＮ／無線変換回路２において、ＬＡＮ通信回線１から入力されたデータを無線送信用に変換して無線通信回線３に出力するとともに、無線通信回線３から受信したデータを復調してＬＡＮ回線１に出力する。
【００２７】
そして、無線障害検出部６が、障害が発生したことを検出すると、リンクダウン転送制御部５にその旨報知し、リンクダウン転送制御部５は、ＬＡＮリンク信号発生部４に対してリンク信号の停止を指示する。リンク信号発生部４は、リンク信号停止の指示に基づいてＬＡＮ回線１に対するリンク信号の出力を停止する。
【００２８】
それと共に、リンクダウン転送制御部５は、タイマー７を起動する。タイマー７には予め記憶装置８から読み出された一定時間が設定されている。
そして、タイマー７がタイムアップすると、リンクダウン転送制御部５は、ＬＡＮリンク信号発生部４に対してリンク信号の出力を指示する。
これにより、本無線回線装置においては、リンクダウン転送から一定時間経過すると、ＬＡＮ回線との接続を復帰可能とするものである。
【００２９】
［本システムにおける障害発生時の動作：図２］
次に、本システムにおける障害発生時の動作について、図２を用いて説明する。図２は、本システムにおける障害発生時の動作を示す説明図である。
障害発生からリンクダウン転送及び経路切替までの動作は図５〜図７を用いて説明した動作と同じであるため、ここでは説明を省略する。
そして、図２に示すように、本システムでは、無線回線装置２２が、リンクダウン転送から一定時間経過後にリンク信号の送信を再開する（（４）リンク自動復旧）。
これに伴い、切替装置２４は、リンクアップを検出して、通信経路を迂回回線４２から無線通信回路２２に切り替える。
【００３０】
これにより、無線回線装置２２とＬＡＮネットワーク２とが接続され、保守端末２３は切替装置２４を介して無線回線装置２２と接続が可能となり、保守端末２３から無線通信回路２２にアクセスして障害内容を参照したり、機器の動作条件を変更する等の保守制御を行うことができるようになる。
そして、保守端末２３からの操作によって迅速に障害の状態を解析して対処することができ、短時間で障害からの復帰を可能とするものである。
【００３１】
［無線通信装置２２の処理：図３］
次に、本システムで用いられる無線回線装置２２における処理について図３を用いて説明する。図３は、無線回線装置における処理を示すフローチャートである。
図３に示すように、無線回線装置２２は、無線障害検出部６で無線回線の障害発生を検出すると（１００）、ＬＡＮ通信回路に対するリンク信号の出力を停止するリンクダウン転送制御を行う（１０２）。
【００３２】
そして、無線回線装置２２は、タイマーをスタートして計時を開始し（１０４）、タイムアップを監視して（１０６）、タイムアップした場合には（Yesの場合）、ＬＡＮ通信回路に対するリンク信号の送信を再開する。
このようにして、無線回線装置２２の処理が行われるものである。
【００３３】
［実施の形態の効果］
本発明の実施の形態に係る通信システムによれば、ＬＡＮネットワークと無線回線とを接続し、ＬＡＮ信号と無線信号との相互変換を行う無線回線装置２２と、ＬＡＮネットワークの接続先を無線回線装置２２又は迂回回線４１に切り替える切替装置２４と、ＬＡＮネットワークを介して無線回線装置２２の保守を行う保守端末２３を備え、無線回線装置２２が、無線回線４１の障害を検出するとＬＡＮ回線に対するリンク信号の出力を停止し、切替装置２４が、リンクダウンを検出するとＬＡＮネットワークの接続先を迂回回線４２側に切り替えるリンクダウン転送を行う通信システムであって、無線回線装置２２が、リンクダウンから一定時間が経過するとリンク信号の出力を再開し、切替装置２４が、リンクダウン検出後、リンク信号を正常に受信すると通信経路を無線回線装置２２側に切り替え、保守端末２３が、切り替えられた無線回線装置２３の保守を行うようにしているので、無線回線の障害発生後、一定時間経過すればＬＡＮネットワークと無線回線装置２２との接続を復帰させて、ＬＡＮネットワークに接続された保守端末２３から無線回線装置２４へのアクセスを可能として、障害の情報収集や設定等の保守制御を遠隔操作で行うことができ、利便性を向上させると共に、迅速に障害復帰させることができる効果がある。
【００３４】
尚、本実施の形態では、複数のＬＡＮネットワークを無線回線によって接続する通信システムについて説明したが、無線回線に限るものではなく、有線回線や光回線であっても当該回線の障害検出時の制御として、同様に実現することができるものである。
【産業上の利用可能性】
【００３５】
本発明は、複数のＬＡＮネットワークを無線回線で接続し、障害発生時の復旧保守を容易にすることができる通信システムに適している。
【符号の説明】
【００３６】
１…ＬＡＮ通信回路、  ２…ＬＡＮ／無線変換回路、  ３…無線通信回路、  ４…ＬＡＮリンク信号発生部、  ５…リンクダウン転送制御部、  ６…無線障害検出部、  ７…タイマー、  ８…記憶装置、  １１，２１…端末、  １２，２２…無線回線装置、  ２３…保守端末、  ２４…切替装置、  ４１…無線回線、  ４２…迂回回線
【図１】
2011142490.tif 000003
【図２】
2011142490.tif 000004
【図３】
2011142490.tif 000005
【図４】
2011142490.tif 000006
【図５】
2011142490.tif 000007
【図６】
2011142490.tif 000008
【図７】
2011142490.tif 000009